(57)【要約】      （修正有）【課題】モーションブラー問題を解決すると共に、輝度の低下を最小化できる表示装置及びその駆動方法を提供する。【解決手段】ｍ（ｍは、２以上の自然数）個のフレームの入力データを比較し、前記比較結果によって、ブラックデータ及びグレーデータのうちいずれか一つを挿入して、前記入力データを変調するデータ変調部、及び前記データ変調部を通じて変調された入力データを表示パネルに供給するための駆動部を備える。前記データ変調部は、前記入力データの比較結果によって、既定の変調入力データのうちいずれか一つを選択するルックアップテーブルを含む。【選択図】図９
2007178989.tif 000002
【特許請求の範囲】
【請求項１】
ｍ個のフレームの入力データを比較し、前記比較結果によって、ブラックデータ及びグレーデータのうちいずれか一つを挿入して、前記入力データを変調するデータ変調部と、ここで、前記ｍは、２以上の自然数であり、
前記データ変調部を通じて変調された入力データを表示パネルに供給するための駆動部と、を備えることを特徴とする表示装置。
【請求項２】
前記データ変調部は、前記入力データの比較結果によって、既定の変調入力データのうちいずれか一つを選択するルックアップテーブルを含むことを特徴とする請求項１に記載の表示装置。
【請求項３】
前記データ変調部は、前記ｍ個のフレームの入力データのうち、最終に入力される入力データを除いたｍ−１個のフレームの入力データを保存するためのフレームメモリをさらに含むことを特徴とする請求項２に記載の表示装置。
【請求項４】
前記データ変調部は、前記ｍ個のフレームのうち、同じ入力データを有するｆ個のフレームのうち最初のフレームから順次にｋ個のフレームの入力データに、ブラックデータ及びグレーデータのうちいずれか一つを挿入して変調することを特徴とし、ここで、前記ｆは、２≦ｆ≦ｍの自然数であり、前記ｋは、ｋ≦ｆの自然数である請求項３に記載の表示装置。
【請求項５】
前記データ変調部は、前記ｋ個のフレームのうち最初のフレームには、ブラックデータ及びグレーデータのうちいずれか一つを挿入し、以後のフレームの入力データには、前記同じ入力データに次第に階調が近くなるグレーデータを挿入して変調することを特徴とする請求項４に記載の表示装置。
【請求項６】
前記データ変調部は、前記入力データを前記入力データより高い階調値を有するように変調することを特徴とする請求項４または５に記載の表示装置。
【請求項７】
前記データ変調部は、前記入力データが、該当フレームが始まる前にプリチャージ形態に供給されるように変調することを特徴とする請求項４または５に記載の表示装置。
【請求項８】
前記駆動部は、前記データ変調部により変調されたデータを前記表示パネルのデータラインに供給するデータ駆動部と、
前記データラインと交差するスキャンラインに前記変調されたデータに同期されるスキャンパルスを順次に供給するスキャン駆動部と、
前記データ駆動部及びスキャン駆動部を制御するタイミングコントローラと、を備えることを特徴とする請求項１に記載の表示装置。
【請求項９】
前記データ変調部は、前記タイミングコントローラに内蔵されることを特徴とする請求項８に記載の表示装置。
【請求項１０】
ｍ個のフレームの入力データを比較し、前記比較結果によって、ブラックデータ及びグレーデータのうちいずれか一つを挿入して、前記入力データを変調するステップと、ここで、前記ｍは、２以上の自然数であり、
前記変調された入力データを表示パネルに供給するステップと、を含むことを特徴とする表示装置の駆動方法。
【請求項１１】
前記入力データを変調するステップは、前記入力データの比較結果によって、既定の変調入力データのうちいずれか一つを選択するステップを含むことを特徴とする請求項１０に記載の表示装置の駆動方法。
【請求項１２】
前記入力データを変調するステップは、前記ｍ個のフレームの入力データのうち、最終に入力される入力データを除いたｍ−１個のフレームの入力データを保存するステップをさらに含むことを特徴とする請求項１１に記載の表示装置の駆動方法。
【請求項１３】
前記入力データを変調するステップは、前記ｍ個のフレームのうち、同じ入力データを有するｆ個のフレームのうち最初のフレームから順次にｋ個のフレームの入力データに、ブラックデータ及びグレーデータのうちいずれか一つを挿入して変調することを特徴とし、ここで、前記ｆは、２≦ｆ≦ｍの自然数であり、前記ｋはｋ≦ｆの自然数である請求項１２に記載の表示装置の駆動方法。
【請求項１４】
前記入力データを変調するステップは、前記ｋ個のフレームのうち最初のフレームには、ブラックデータ及びグレーデータのうちいずれか一つを挿入し、以後のフレームの入力データには、前記同じ入力データに次第に階調が近くなるグレーデータを挿入して変調することを特徴とする請求項１３に記載の表示装置の駆動方法。
【請求項１５】
前記入力データを変調するステップは、前記入力データを前記入力データより高い階調値を有するように変調することを特徴とする請求項１３または１４に記載の表示装置の駆動方法。
【請求項１６】
前記入力データを変調するステップは、前記入力データが、該当フレームが始まる前にプリチャージ形態に供給されるように変調することを特徴とする請求項１３または１４に記載の表示装置の駆動方法。
【請求項１７】
前記変調された入力データを表示パネルに供給するステップは、
前記データ変調部により変調されたデータを前記表示パネルのデータラインに供給するステップと、
前記データラインと交差するスキャンラインに前記変調されたデータに同期されるスキャンパルスを順次に供給するステップと、
前記データ駆動部及びスキャン駆動部を制御するステップと、を含むことを特徴とする請求項１０に記載の表示装置の駆動方法。
【請求項１８】
同じ値のビデオデータを有する複数のフレームが連続的に入力される場合、前記複数のフレームのうち最初のフレームから少なくとも一つのフレームにブラックデータまたはグレーデータのうちいずれか一つを挿入して、前記ビデオデータを変調するデータ変調部と、
前記データ変調部を通じて変調されたビデオデータを表示パネルに供給するための駆動部と、を備えることを特徴とする表示装置。
【請求項１９】
前記グレーデータは、相異なる輝度を表すように、複数のレベルに設定されることを特徴とする請求項１８に記載の表示装置。
【請求項２０】
前記複数のフレームのうち最後のフレームには、前記ブラックデータ及びグレーデータが挿入されないことを特徴とする請求項１８に記載の表示装置。
【発明の詳細な説明】
【技術分野】
【０００１】
本発明は、ホールドタイプの表示装置に係り、特にモーションブラー問題を解決すると共に、輝度の低下を最小化できる表示装置及びその駆動方法に関する。
【背景技術】
【０００２】
液晶表示装置（ＬＣＤ）や有機電界発光ダイオード装置（ＯＬＥＤ）のようなホールドタイプの表示装置は、維持特性により動画で画面が鮮明でなくてぼやけて見えるモーションブラー現象が現れる。これを、陰極線管（ “ＣＲＴ”）及びＬＣＤのデータ特性を表す図１ないし図４を参照して説明する。
【０００３】
ＣＲＴは、図１のように、一つのフィールド周期のうち、初期の非常に短い時間のみ蛍光体を発光させてデータを表示し、一つのフィールド周期のほとんどが停止期間として残るインパルスタイプの表示装置である。したがって、ＣＲＴで観覧者が知覚する動画の知覚映像は、図２のように鮮明に表示される。
【０００４】
これに対して、ＬＣＤは、図３のように、スキャンハイ電圧Ｖｇｈが供給されるスキャニング期間に液晶にデータが供給され、一つのフィールド周期のほとんどである非スキャニング期間に液晶に供給されたデータが維持される。これにより、ＬＣＤでは、モーションブラー現象のため、図４のように表示画像がぼやけるようになる。このような知覚映像の差は、動きを追従する目で一時的に持続される映像の積分効果に起因する。したがって、ＬＣＤの応答速度が速いとしても、目の動きと毎フレームの静的映像との間の不一致により、観覧者はぼやけた画面を見るようになる。
【０００５】
このような従来のＬＣＤのモーションブラーを緩和するために、フレーム期間にホールディングタイムを短縮し、ブラックデータを挿入する方法が提案されている。
【０００６】
ブラックデータ挿入（ＢＤＩ）方式は、図５のように、１フレームの間に一つのフレームデータが供給される一般的な方式と異なり、図６のように、各フレーム内でフレームデータのホールディングタイムＤ１〜Ｄ５を短縮し、ブラックデータＢ１〜Ｂ５を挿入することによって、類似インパルスタイプにＬＣＤを駆動させてモーションブラー現象を緩和する。
【０００７】
このようなＢＤＩ方式によりモーションブラー問題はある程度解決されるが、各フレームのデータホールディングタイムが短縮され、ブラックデータが挿入されることによって、図７のように、一般的な方式よりＢＤＩ方式で輝度が顕著に低下するという問題が発生する。
【発明の開示】
【発明が解決しようとする課題】
【０００８】
本発明の目的は、ホールドタイプの表示装置において、モーションブラー問題を解決すると共に、輝度の低下を最小化できる表示装置及びその駆動方法を提供するところにある。
【課題を解決するための手段】
【０００９】
前記目的を達成するために、本発明による表示装置は、ｍ（ｍは、２以上の自然数）個のフレームの入力データを比較し、前記比較結果によって、ブラックデータ及びグレーデータのうちいずれか一つを挿入して、前記入力データを変調するデータ変調部、及び前記データ変調部を通じて変調された入力データを表示パネルに供給するための駆動部を備える。
【００１０】
前記データ変調部は、前記入力データの比較結果によって、既定の変調入力データのうちいずれか一つを選択するルックアップテーブルを含む。
【００１１】
前記データ変調部は、前記ｍ個のフレームの入力データのうち、最終に入力される入力データを除いたｍ−１個のフレームの入力データを保存するためのフレームメモリをさらに含む。
【００１２】
前記データ変調部は、前記ｍ個のフレームのうち、同じ入力データを有するｆ（２≦ｆ≦ｍの自然数）個のフレームのうち最初のフレームから順次にｋ（ｋ≦ｆの自然数）個のフレームの入力データに、ブラックデータ及びグレーデータのうちいずれか一つを挿入して変調する。
【００１３】
前記データ変調部は、前記ｋ個のフレームのうち最初のフレームには、ブラックデータ及びグレーデータのうちいずれか一つを挿入し、以後のフレームの入力データには、前記同じ入力データに次第に階調が近くなるグレーデータを挿入して変調する。
【００１４】
前記データ変調部は、前記入力データを前記入力データより高い階調値を有するように変調する。
【００１５】
前記データ変調部は、前記入力データが、該当フレームが始まる前に供給されるように変調する。
【００１６】
前記駆動部は、前記データ変調部により変調されたデータをアナログデータ電圧に変換して、前記表示パネルのデータラインに供給するデータ駆動部と、前記データラインと交差するスキャンラインに前記変調されたデータに同期されるスキャンパルスを順次に供給するスキャン駆動部と、前記データ駆動部及びスキャン駆動部を制御するタイミングコントローラと、を備える。
【００１７】
前記データ変調部は、前記タイミングコントローラに内蔵される。
【００１８】
本発明による表示装置の駆動方法は、ｍ（ｍは、２以上の自然数）個のフレームの入力データを比較し、前記比較結果によって、ブラックデータ及びグレーデータのうちいずれか一つを挿入して前記入力データを変調するステップ、及び前記変調された入力データを表示パネルに供給するステップを含む。
【００１９】
前記入力データを変調するステップは、前記入力データの比較結果によって、既定の変調入力データのうちいずれか一つを選択するステップを含む。
【００２０】
前記入力データを変調するステップは、前記ｍ個のフレームの入力データのうち、最終に入力される入力データを除いたｍ−１個のフレームの入力データを保存するステップをさらに含む。
【００２１】
前記入力データを変調するステップは、前記ｍ個のフレームのうち、同じ入力データを有するｆ（２≦ｆ≦ｍの自然数）個のフレームのうち最初のフレームから順次にｋ（ｋ≦ｆの自然数）個のフレームの入力データに、ブラックデータ及びグレーデータのうちいずれか一つを挿入して変調する。
【００２２】
前記入力データを変調するステップは、前記ｋ個のフレームのうち最初のフレームには、ブラックデータ及びグレーデータのうちいずれか一つを挿入し、以後のフレームの入力データには、前記同じ入力データに次第に階調が近くなるグレーデータを挿入して変調する。
【００２３】
前記入力データを変調するステップは、前記入力データを前記入力データより高い階調値を有するように変調する。
【００２４】
前記入力データを変調するステップは、前記入力データが、該当フレームが始まる前に供給されるように変調する。
【００２５】
前記変調された入力データを表示パネルに供給するステップは、前記データ変調部により変調されたデータをアナログデータ電圧に変換して、前記表示パネルのデータラインに供給するステップ、前記データラインと交差するスキャンラインに前記変調されたデータに同期されるスキャンパルスを順次に供給するステップ、及び前記データ駆動部及びスキャン駆動部を制御するステップを含む。
【発明の効果】
【００２６】
本発明による表示装置及びその駆動方法は、ホールドタイプの表示装置でフレーム別に入力データを比較し、前記比較結果によって、ブラックまたはグレーデータを挿入して入力データを変調する。これにより、輝度の低下を最小化し、かつモーションブラー問題を解決できる。
【発明を実施するための最良の形態】
【００２７】
以下、本発明の望ましい実施形態を、図８ないし図１３を参照して詳細に説明する。
【００２８】
図８に示すように、本発明の実施形態による表示装置は、データライン１１２とスキャンライン１２２とが交差し、複数のピクセルが形成された表示パネル１３０、表示パネル１３０のデータライン１１２にデータ信号を供給するためのデータ駆動部１１０、表示パネル１３０のスキャンライン１２２にスキャン信号を供給するためのスキャン駆動部１２０、及び入力データを変調し、変調データを利用してデータ駆動部１１０及びスキャン駆動部１２０を制御するタイミングコントローラ１００を備える。
【００２９】
表示パネル１３０は、データライン１１２とスキャンライン１２２とが相互に直交するように形成され、ピクセルがマトリックスタイプに配置される。前記表示パネル１３０は、ＬＣＤパネルあるいはＯＬＥＤパネルのようなホールドタイプの表示装置の表示パネルである。
【００３０】
タイミングコントローラ１００は、図９に示したように、入力データＲＧＢを変調するためのデータ変調部１０２、及び入力される信号を制御するための信号制御部１０４を備える。
【００３１】
信号制御部１０４は、システムから入力される第１垂直／水平同期信号Ｖｓｙｎｃ１，Ｈｓｙｎｃ１、第１クロック信号ＣＬＫ１及び第１データイネーブル信号ＤＥ１を利用して、第２垂直／水平同期信号Ｖｓｙｎｃ２，Ｈｓｙｎｃ２、第２クロック信号ＣＬＫ２及び第２データイネーブル信号ＤＥ２を生成する。ここで、第２垂直／水平同期信号Ｖｓｙｎｃ２，Ｈｓｙｎｃ２、第２クロック信号ＣＬＫ２及び第２データイネーブル信号ＤＥ２は、データ駆動部１１０及びスキャン駆動部１２０を従来に比べて２倍の周波数（１２０ＨＺ）で駆動させるための変調信号である。また、信号制御部１０４は、第２垂直／水平同期信号Ｖｓｙｎｃ２，Ｈｓｙｎｃ２、第２クロック信号ＣＬＫ２及び第２データイネーブル信号ＤＥ２がデータ変調部１０２を通じて変調されたデータＭＲＧＢと同期されるように、一定時間遅延させる役割を担う。
【００３２】
データ変調部１０２は、バッファ１０６、第１及び第２フレームメモリ１０８，１１４、信号生成部１１６及び信号供給部１１８を備えて、入力されるビデオデータＲＧＢを変調する。ｎ番目のフレームのビデオデータである第ｎビデオデータＲＧＢｎを変調するために、ｎ−１番目のフレームのデータである第ｎ−１ビデオデータＲＧＢｎ−１、第ｎビデオデータＲＧＢｎ、ｎ＋１番目のフレームのデータである第ｎ＋１ビデオデータＲＧＢｎ＋１がバッファ１０６を通じて供給される。第ｎビデオデータＲＧＢｎは、第１フレームメモリ１０８に保存され、第ｎ−１ビデオデータＲＧＢｎ−１は、第２フレームメモリ１１４に保存される。次いで、第ｎ＋１ビデオデータＲＧＢｎ＋１が信号生成部１１６に供給されると共に、第１フレームメモリ１０８に供給されれば、第１フレームメモリ１０８に保存された第ｎビデオデータＲＧＢｎは、信号生成部１１６及び第２フレームメモリ１１４に供給され、第２フレームメモリ１１４に保存された第ｎ−１ビデオデータＲＧＢｎ−１は、信号生成部１１６に供給される。信号生成部１１６は、第ｎビデオデータＲＧＢｎ及びｎ番目のフレームの前後のフレームのビデオデータ、すなわち第ｎ−１ビデオデータＲＧＢｎ−１、第ｎ＋１ビデオデータＲＧＢｎ＋１を比較して、比較結果に対応する変調データＭＲＧＢｎをルックアップテーブルで選択して出力する。信号供給部１１８は、信号生成部１１６から出力された変調データＭＲＧＢｎをデータ駆動部１１０に供給する。
【００３３】
すなわち、本発明の実施形態による表示装置は、データ駆動部１１０及びスキャン駆動部１２０を従来に比べて２倍の周波数（１２０ＨＺ）で駆動させて、従来の１フレームの間に持続されたデータのホールディングタイムを短縮し、余分の期間には、データ変調部１０２のルックアップテーブルで選択されたブラックまたはグレーデータを出力する。すなわち、変調データＭＲＧＢは、図１０に示したように、１フレームで表現しようとするビデオデータ（フレームデータ）の前部分または後部分の一定時間にブラックまたはグレーデータを含むデータとなる。ここで、前記グレーデータの階調値は、ブラックデータよりは高く、前記ビデオデータの階調値よりは低い値を有するように設定される。また、前記グレーデータは、相異なる輝度を表すように、色々なレベルに区分される複数の階調値に設定されることもある。したがって、現在のフレームのビデオデータが以前のフレームのビデオデータと比較して同じデータである場合、信号生成部１１６のルックアップテーブルを通じて出力されたデータには、ブラックまたはグレーデータが挿入されずに輝度の低下を最小化できる。また、ブラック階調のデータのみを挿入した従来とは異なり、本発明による表示装置では、現在のフレームと前後のフレームとのビデオデータを比較して、その比較結果によるグレーデータまたはブラックデータを挿入することによって、輝度の低下が最小化される。
【００３４】
このような構成を有するタイミングコントローラ１００は、変調された垂直／水平同期信号Ｖｓｙｎｃ２，Ｈｓｙｎｃ２、クロック信号ＣＬＫ２及びデータイネーブル信号ＤＥ２を利用して、データ駆動部１１０を制御するためのデータ制御信号ＤＤＣ、スキャン駆動部１２０を制御するためのスキャン制御信号ＳＤＣを発生させる。
【００３５】
データ駆動部１１０は、シフトレジスタ、タイミングコントローラ１００からの変調データＭＲＧＢを一時保存するためのレジスタ、シフトレジスタからのクロック信号に応答して、変調データＭＲＧＢを１ライン分ずつ保存し、保存された１ライン分のデータを同時に出力するためのラッチ、ラッチからのデータ値に対応して、アナログ正極性／負極性のガンマ補償電圧を選択するためのデジタル／アナログ変換器、正極性／負極性のガンマ補償電圧が供給されるデータライン１１２を選択するためのマルチプレクサ、及びマルチプレクサとデータライン１１２との間に接続された出力バッファなどから構成される。このデータ駆動部１１０は、変調されたビデオデータＭＲＧＢを入力され、そのデータＭＲＧＢをタイミングコントローラ１００の制御下で表示パネル１３０のデータライン１１２に供給する。
【００３６】
スキャン駆動部１２０は、タイミングコントローラ１００からのスキャン制御信号ＳＤＣに応答して、スキャンパルスを順次に発生させる。ここで、スキャン駆動部１２０は、図１１に示したように、１フレームの間にデータ駆動部１１０からのブラックまたはグレーデータを表現させる第１スキャンパルスＳＰ１、データ駆動部１１０からのフレームデータ、すなわち表現しようとするビデオデータを表現させる第２スキャンパルスＳＰ２を発生させる２倍速の駆動を行う。データ駆動部１１０も、１フレームの間にブラックまたはグレーデータ及びフレームデータが出力されるように、２倍速の駆動を行う。
【００３７】
図９のデータ変調部１０２では、フレームメモリを二つ使用して、現在のフレームと現在のフレームの前後のフレームとのビデオデータを比較したが、フレームメモリを一つ使用して現在のフレームと以前のフレームとのビデオデータを比較するか、または現在のフレームと以後のフレームとのビデオデータを比較できる。すなわち、ｍ（ｍは、２以上の自然数）個のフレームのビデオデータを比較しようとする場合には、ｍ−１個のフレームメモリを使用できる。このとき、ｍ個のフレームのうち、同じビデオデータがｆ（２≦ｆ≦ｍの自然数）個のフレームの間に持続される場合、ｆ個のフレームのうち最初のフレームから所望のｋ（ｋ≦ｆの自然数）個のフレームの間にブラックまたはグレーデータを挿入でき、ブラックまたはグレーデータを次第にそのフレームで表現しようとするビデオデータ（フレームデータ）に近くなるように挿入できる。図１２は、同じビデオデータが４個のフレームの間に持続される場合、３個のフレームの間にブラックまたはグレーデータを挿入する場合を示す図面であり、図１３は、図１２のような場合に、ブラックまたはグレーデータを次第にフレームデータに近くなるように挿入する場合を示す図面である。図１３の場合、Ａフレームには、ブラックまたはグレーデータを挿入し、Ｂ，Ｃフレームには、フレームデータの階調に近くなるグレーデータを挿入する。
【００３８】
本発明による表示装置は、応答速度の最適化のために高速駆動（Ｏｖｅｒ Ｄｒｉｖｉｎｇ Ｃｉｒｃｕｉｔ：ＯＤＣ）方式を適用できる。例えば、図１４に示したように、本発明によってフレームにブラックデータまたはグレーデータが挿入される場合、特定のフレームのデータ値Ｄ２を本来の入力データ値Ｄ１より高い階調値を有するように変調することによって、応答速度を速めることができる。すなわち、前記ＯＤＣ方式は、ルックアップテーブルを使用してＬＣＤではフレームデータを供給するとき、所望のデータより高い階調のデータを供給することによって、液晶の応答速度を速めることができる。また、ＯＬＥＤでは、フレームデータ、すなわち入力データを該当フレームが始まる前にプリチャージ形態にあらかじめ供給することによって、データの具現速度を速めることができる。
【産業上の利用可能性】
【００３９】
本発明は、表示装置関連の技術分野に適用可能である。
【図面の簡単な説明】
【００４０】
【図１】ＣＲＴの発光特性を示す図面である。
【図２】観覧者が感じるＣＲＴの知覚映像を示す図面である。
【図３】ＬＣＤの発光特性を示す図面である。
【図４】観覧者が感じるＬＣＤの知覚映像を示す図面である。
【図５】ノーマル状態のデータ整列を示す図面である。
【図６】ブラックデータが全階調領域に挿入されるデータ整列を示す図面である。
【図７】ノーマル状態の輝度とブラックデータの挿入時の輝度とを比較した図面である。
【図８】本発明による表示装置を簡略に示すブロック図である。
【図９】図８に示したタイミングコントローラの構成を具体的に示すブロック図である。
【図１０】本発明によってブラックまたはグレーデータを挿入して変調したデータを示す図面である。
【図１１】スキャン駆動部及びデータ駆動部の２倍速の駆動を説明するための図面である。
【図１２】本発明の他の実施形態を示す図面である。
【図１３】本発明のさらに他の実施形態を示す図面である。
【図１４】本発明によってＯＤＣ方式を適用した例を示す図面である。
【符号の説明】
【００４１】
１００：タイミングコントローラ
１０２：データ変調部
１０４：信号制御部
１０６：バッファ
１０８：第１フレームメモリ
１１０：データ駆動部
１１２：データライン
１１４：第２フレームメモリ
１１６：信号生成部
１１８：信号供給部
１２０：スキャン駆動部
１２２：スキャンライン
１３０：表示パネル
【図１】
2007178989.tif 000003
【図２】
2007178989.tif 000004
【図３】
2007178989.tif 000005
【図４】
2007178989.tif 000006
【図５】
2007178989.tif 000007
【図６】
2007178989.tif 000008
【図７】
2007178989.tif 000009
【図８】
2007178989.tif 000010
【図９】
2007178989.tif 000011
【図１０】
2007178989.tif 000012
【図１１】
2007178989.tif 000013
【図１２】
2007178989.tif 000014
【図１３】
2007178989.tif 000015
【図１４】
2007178989.tif 000016